(57)【要約】【課題】先端に引出される引出体に配置した照明用光源へ確実に給電することができるようにする。【解決手段】ケース本体１に対して多段に引出される引出体２，３を引出収納自在となるように嵌合した車両用収納部４構造であって、先端に引出される引出体３に照明用光源３１を配置して、先端の引出体３とケース本体１との間に屈伸リンク式の電設機構３２，３３を配設し、電設機構３２，３３を介して照明用光源３１へ給電可能としている。【選択図】        図６
2004291728.tif 000002
【特許請求の範囲】
【請求項１】
ケース本体に対して多段に引出される引出体を引出収納自在となるように嵌合した車両用収納部構造であって、
先端に引出される引出体に照明用光源を配置して、先端の引出体とケース本体との間に屈伸リンク式の電設機構を配設し、該電設機構を介して前記照明用光源へ給電可能としたことを特徴とする車両用収納部構造。
【発明の詳細な説明】
【０００１】
【発明の属する技術分野】
この発明は、車両用収納部構造に関するものである。
【０００２】
【従来の技術】
自動車などの車両は、車室内に複数の収納部を備えている。このような収納部には、ケース本体に対し複数の引出体を入子式に嵌合したものが存在する（例えば、特許文献１参照）。
【０００３】
【特許文献１】
特開平１１−２６８５６７号公報
【０００４】
【発明が解決しようとする課題】
このような車両用収納部構造では、夜間視認性を向上したり外観品質を向上したりするために、先端の引出体を照明することが考えられるが、先端の引出体に照明用光源を設け、リード線を用いて照明用光源に給電を行うようにすると、リード線は繰返しの曲げ伸ばしを受けたり、温度変化による影響を受けるなどにより、断線の虞れがあるなどの問題があった。
【０００５】
また、ケース本体に照明用光源を設け、導光体を用い、複数の引出体を中継して先端の引出体へ光を導くようにすると、複数の引出体間における光の受け渡しが難しいため、複数の引出体の完全収納時から完全引出時までの間に跡切れることなく先端の引出体へ光を導くようにすることが困難であるという問題があった。
【０００６】
そこで、本発明の目的は、上記の問題点を解消し、先端に引出される引出体に配置した照明用光源へ確実に給電することのできる車両用収納部構造を提供することにある。
【０００７】
【課題を解決するための手段】
上記課題を解決するために、請求項１に記載された発明では、ケース本体に対して多段に引出される引出体を引出収納自在となるよう嵌合した車両用収納部構造であって、先端に引出される引出体に照明用光源を配置して、先端の引出体とケース本体との間に屈伸リンク式の電設機構を配設し、該電設機構を介して前記照明用光源へ給電可能とした車両用収納部構造を特徴としている。
【０００８】
このように構成された請求項１にかかる発明によれば、屈伸リンク式の電設機構を用いることにより、繰返しの曲げ伸ばしや温度変化による影響を受けずに照明用光源への確実な給電を行わせることができる。また、屈伸リンク式の電設機構を用いることにより、引出体の長距離伸縮に余裕で対応することができる。更に、屈伸リンク式の電設機構を用いることにより、多段に引出される引出体の完全収納時から完全引出時までの間に跡切れることなく先端の引出体を照明し続けられるようにすることが可能となる。
【０００９】
【発明の実施の形態】
以下、本発明を具体化した実施の形態について、図示例と共に説明する。
【００１０】
図１〜図６は、この発明の実施の形態を示すものである。
【００１１】
まず、構成を説明すると、自動車などの車両の車室内（例えば、インストルメントパネルの部分）に、ケース本体１に対して多段に引出される引出体２，３を引出収納自在となるように（入子式などに）嵌合した収納部４を設ける。
【００１２】
この収納部４は、この実施の形態では、ケース本体１に対して、中間の引出体２と先端の引出体３とを２段式に引出収納自在に備えている。このように、引出体２，３を２段式に出入させることにより、大きな引出量を確保して、上方の造作物などとの干渉を防止することができる。なお、ケース本体１の上部には、シガーライター保持孔５が一体形成されている。
【００１３】
そして、先端の引出体３には、先端側に収納凹部１１が形成され、収納凹部１１の奥側にはドリンクホルダ１２が形成されている。収納凹部１１は、先端の引出体３の幅方向へ延びる細長の角穴形状を呈しており、この収納凹部１１に対して蓋体１３の付いた収納容器１４が着脱可能に取付けられる。この収納容器１４は、例えば、灰皿や小物入れなどとして使用可能なものである。また、ドリンクホルダ１２は、開口状のドリンク側部保持枠部１６として構成されている。このドリンク側部保持枠部１６の奥部には、異なる形状や大きさの飲料容器に対応させるための可動フラップ１７が取付けられている。また、ドリンク側部保持枠部１６の下部には、ドリンク底部保持片１８が昇降可能に取付けられている。なお、ドリンクホルダ１２は左右２個形成されている。収納凹部１１とドリンクホルダ１２とをこのような配置にすることにより、両者を同時に使用することが可能となる。
【００１４】
そして、収納凹部１１の内奥部と、ドリンク側部保持枠部１６の前縁部とには、それぞれ発光部２２，２３が設けられている。これらの発光部２２，２３は透明樹脂などによって構成されている。そして、これらの発光部２２，２３は、先端の引出体３の裏面側に取付けられた導光体２４に接続されている。なお、この導光体２４は、光漏れを防止するために裏面側が塗装やカバー部材などによって遮蔽されている。また、収納容器１４には収納凹部１１の発光部２２と対応する位置に貫通穴が形成され、この貫通穴に別の発光部２５が取付けられて、蓋体１３を開けた時に発光部２２，２５を介して収納容器１４の内部が照明されるように構成されている。なお、この発光部２５は透明樹脂などによって構成されている。
【００１５】
この実施の形態のものでは、先端に引出される引出体３に照明用光源３１を配置して、先端の引出体３とケース本体１との間に屈伸リンク式の電設機構３２，３３を配設し、この電設機構３２，３３を介して上記照明用光源３１へ給電可能とする。なお、照明用光源３１は導光体２４へ光を出射するように構成されている。また、屈伸リンク式の電設機構３２，３３の先端と照明用光源３１との間の接続は、リード線３４，３５を用いて行う。
【００１６】
屈伸リンク式の電設機構３２，３３は、複数本の短冊状の銅板の一端と他端を屈伸自在に順次直列に連結したものである。このような屈伸リンク式の電設機構３２，３３は、＋極用と−極用との２種類を用意し、これらを所要の間隔を有して接触しないように上下に重ね合せて配置する。更に、両者間の適宜箇所に対し、必要に応じて絶縁スペーサを介在させる。
【００１７】
次に、この実施の形態の作用について説明する。
【００１８】
ドリンクホルダ１２や収納容器１４を使用する場合には、ケース本体１に対して、中間の引出体２と先端の引出体３とを２段式に引出す。反対に、ドリンクホルダ１２や収納容器１４を使用しない場合には、ケース本体１に対して、中間の引出体２と先端の引出体３とを２段式に収納する。
【００１９】
そして、先端の引出体３を引出した状態で照明用光源３１を点灯すると、導光体２４を介して、収納凹部１１の内奥部に設けられた発光部２２および収納容器１４の内部に設けられた発光部２５と、ドリンク側部保持枠部１６の前縁部に設けられた発光部２３とが照明される。このように、発光部２２，２３，２５を発光させることにより、夜間視認性を向上したり外観品質を向上したりすることができる。
【００２０】
この際、照明用光源３１への給電は、先端の引出体３とケース本体１との間に配設された屈伸リンク式の電設機構３２，３３、および、屈伸リンク式の電設機構３２，３３の先端と照明用光源３１との間を接続するリード線３４，３５を介して行われる。
【００２１】
このようにこの実施の形態によれば、屈伸リンク式の電設機構３２，３３を用いることにより、繰返しの曲げ伸ばしや温度変化による影響を受けずに照明用光源３１への確実な給電を行わせることができる。
【００２２】
また、屈伸リンク式の電設機構３２，３３を用いることにより、引出体２，３の長距離伸縮に余裕で対応することができる。
【００２３】
更に、屈伸リンク式の電設機構３２，３３を用いることにより、多段に引出される引出体２，３の完全収納時から完全引出時までの間に跡切れることなく先端の引出体３を照明し続けられるようにすることが可能となる。
【００２４】
なお、屈伸リンク式の電設機構３２，３３の先端と照明用光源３１との間を接続するリード線３４，３５は、繰返しの曲げ伸ばしを受けることがないので、特に影響はない。
【００２５】
以上、この発明の実施の形態を図面により詳述してきたが、実施の形態はこの発明の例示にしか過ぎないものであるため、この発明は引出体を入子式に嵌合した構成にのみ限定されるものではなく、多段式の引出体など、この発明の要旨を逸脱しない範囲の設計の変更等があってもこの発明に含まれることは勿論である。
【００２６】
【発明の効果】
以上説明してきたように、請求項１の発明によれば、屈伸リンク式の電設機構を用いることにより、繰返しの曲げ伸ばしや温度変化による影響を受けずに照明用光源への確実な給電を行わせることができる。また、屈伸リンク式の電設機構を用いることにより、引出体の長距離伸縮に余裕で対応することができる。更に、屈伸リンク式の電設機構を用いることにより、多段に引出される引出体の完全収納時から完全引出時までの間に跡切れることなく先端の引出体を照明し続けられるようにすることが可能となる、という実用上有益な効果を発揮し得る。
【図面の簡単な説明】
【図１】本発明の実施の形態の収納状態の側面図である。
【図２】図１の引出状態の斜視図である。
【図３】先端の引出体の斜視図である。
【図４】収納状態の下方から見た斜視図である。
【図５】一部引出状態の下方から見た斜視図である。
【図６】引出状態の下方から見た斜視図である。
【符号の説明】
１    ケース本体
２    引出体
３    引出体
４    収納部
３１  照明用光源
３２  屈伸リンク式の電設機構
３３  屈伸リンク式の電設機構
【図１】
2004291728.tif 000003
【図２】
2004291728.tif 000004
【図３】
2004291728.tif 000005
【図４】
2004291728.tif 000006
【図５】
2004291728.tif 000007
【図６】
2004291728.tif 000008